(57)【要約】 【課題】画像表示体上に表示される画像と造形体との位置関係に基づいて画像の表示状態を調整することにより、形状や構造を複雑にすることなく、メカ的な位置調整を排して、簡単かつ正確に両者の位置精度を向上させることのできる画像表示ユニット、画像表示方法及び遊技機を提供すること。【解決手段】この図柄表示装置は、画面１７ａを有してその画面１７ａに画像を表示可能な液晶表示装置１７と、液晶表示装置１７の画面１７ａ側に配置されて画像と協働して所定演出を実現するセンター飾り１６と、センター飾り１６と液晶表示装置１７との位置関係に基づいて液晶表示装置１７上での画像の表示状態を調整する反射センサ１８〜２０及び画像制御基板２１とを有している。【選択図】図４
2008206715.tif 000002
【特許請求の範囲】
【請求項１】
画面を有してその画面に画像を表示可能な画像表示体と、
該画像表示体の画面側に配置されて前記画像と協働して所定演出を実現する造形体と、
該造形体と前記画像表示体との位置関係に基づいて該画像表示体上での前記画像の表示状態を調整する画像表示調整手段と、を有する画像表示ユニット。
【請求項２】
第１の部材に取り付けられる造形体と、
該第１の部材に対して開閉可能に配置された第２の部材に取り付けられ、該第１及び第２の両部材の閉鎖状態において前記造形体と協働して所定演出を実現する画像を表示可能な画像表示体と、
前記造形体と該画像表示体との位置関係に基づいて該画像表示体上での前記画像の表示状態を調整する画像表示調整手段と、を有する画像表示ユニット。
【請求項３】
前記画像表示調整手段が、
前記造形体と前記画像表示体との相対位置を検出する位置センサと、
該位置センサからの検出信号に応じて前記画像表示体上での前記画像の表示位置を調整する画像位置調整部と、を有する請求項１又は請求項２に記載の画像表示ユニット。
【請求項４】
前記画像位置調整部が、前記画像表示体上での前記画像の表示位置を平行移動調整可能又は回転調整可能である請求項３に記載の画像表示ユニット。
【請求項５】
前記表示画像調整手段が、
前記造形体と前記画像表示体との相対位置を検出する位置センサと、
該位置センサからの検出信号に応じて前記画像表示体上での前記画像の表示サイズを調整する画像サイズ調整部と、を有する請求項１又は請求項２に記載の画像表示ユニット。
【請求項６】
前記画像表示調整手段が、前記造形体と前記画像表示体との相対位置を検出する位置センサをそれぞれ異なる箇所に複数有している請求項１又は請求項２に記載の画像表示ユニット。
【請求項７】
前記第１の部材が、遊技媒体による遊技を実現する遊技装置体であり、
前記第２の部材が、遊技機の周囲を囲む筐体枠の後方に配置され、該遊技機の背面を実質的に閉鎖する背面板である請求項２に記載の画像表示ユニット。
【請求項８】
画面を有してその画面に画像を表示可能な画像表示体と、該画像表示体の画面側に配置されて前記画像と協働して所定演出を実現する造形体と、の相対位置を位置センサにより検出するステップと、
該位置センサからの検出信号に応じて画像表示体上での画像の表示位置又は表示サイズを調整するステップと、を有する画像表示方法。
【請求項９】
遊技機の周囲を囲む筐体枠と、
前記造形体を保持する前記遊技装置体と、
該遊技装置体を保持し、前記筐体枠に対して前面開閉可能に揺動支持された機枠と、
請求項１に記載の画像表示ユニットと、を有する遊技機。
【発明の詳細な説明】
【技術分野】
【０００１】
本発明は、画像表示ユニット、画像表示方法及び遊技機に係り、特に造形体と画像表示体とを含む画像表示ユニットにおいて、両者が多少位置ずれを生じた場合でも、その位置ずれを解消して問題なく所定演出を実現することができる画像表示ユニット等に関する。本発明は、特に離合可能構造とされた造形体と画像表示体とを含む画像表示ユニット、例えば遊技機における図柄表示装置に好適である。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機において、最近では遊技盤面上に図柄表示装置や変動入賞装置等の役物が配置されたものがある。
【０００４】
変動入賞装置は、例えば遊技演出用のキャラクター人形等の役物と複数種類の入賞口とを有し、変動入賞装置内に流入した球が、キャラクター人形等の動作に影響されていずれの種類の入賞口に入賞するかを楽しめるように構成されているものである。球が入賞した入賞口の種類に応じて、払い出される景品球数が異なったり、異なる種類の別遊技が開始されたりする。
【０００５】
また、図柄表示装置は、その表示画面に表示された図柄等が変動し特定の表示態様となったときに、遊技者に多量の景品球を獲得させるいわゆる「当り」を構成するためのものである。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者の興趣が一層向上するようになっている。
【０００６】
この図柄表示装置として、例えば、遊技盤表面側に設けられたセンター役物（造形体）と遊技盤裏面側に設けられた液晶表示装置（画像表示体）とを有して構成されるものがある。このセンター役物は、例えばキャラクターが造形された樹脂成形部品であって、遊技盤表面の略中央に位置して液晶表示装置の表示画面の周囲を装飾演出するように設けられている。そして、そのセンター役物の中央部分が透明又は開口の窓部となっており、遊技盤裏面側に取り付けられた液晶表示装置の表示画面が窓部から遊技者にとって視認可能とされている。
【０００７】
この液晶表示装置の表示画面には、図柄変動遊技が開始されたときに数字や文字等の回転図柄が表示される。また、図柄変動遊技開始前や「当り」の際には、キャラクター等による演出図柄が表示される。これらの回転図柄や演出図柄等が、センター飾りの造形と協働して所定演出を実現することにより、遊技者にとっての興趣がより一層向上するようになっている。
【０００８】
センター飾りと液晶画像とは協働して所定演出を行うので、両者の位置がズレてしまうと、演出が効果的に行われず興趣向上を図ることができない。したがって、センター飾りと表示画像との位置精度は高くなければならない。そのため、例えば特許文献１には、位置調整部及び被位置調整部によって、センター飾り（センターケース）の窓部と液晶表示装置（表示ユニット）との取付け位置精度を向上させたものが開示されている。
【０００９】
【特許文献１】特開２００６−３２０６２０号公報
【発明の開示】
【発明が解決しようとする課題】
【００１０】
しかしながら、特許文献１に開示のものでは、遊技盤裏面や液晶表示装置にわざわざ位置調整部や被位置調整部を設けなければならず、部品点数の増大や形状・構造の複雑化を招いてしまうという問題がある。
【００１１】
また、近年では、遊技機背面から内部への不正アクセスを防止すべく、背面側を実質的に閉鎖する背面板を配置する遊技機も提案されており、そして、この背面板に液晶表示装置を取り付けることも提案されている。しかし、遊技盤にセンター飾りと液晶表示装置とをともに取り付ける場合に比較して、液晶表示装置を背面板に取り付けた場合はセンター飾りと液晶表示装置との位置精度が一層低下する。したがって、従来の位置決め構造や位置調整方法では、充分な位置調整を行えない虞がある。さらに、背面板に取り付けられた液晶表示装置とセンター飾りとの距離が遠い場合は、両者の直接的・間接的な接触を利用したメカ的な位置調整は困難かつ低精度となってしまう。
【００１２】
本発明は上記の事情に鑑みて為されたもので、画像表示体と造形体との位置関係に基づいて画像表示体上での画像の表示状態を調整することにより、形状や構造を複雑にすることなく、メカ的な位置調整を排して、簡単かつ正確に両者の位置精度を向上させることのできる画像表示ユニット、画像表示方法及び遊技機を提供することを例示的課題とする。
【課題を解決するための手段】
【００１３】
上記の課題を解決するために、本発明の例示的側面としての画像表示ユニットは、画面を有してその画面に画像を表示可能な画像表示体と、画像表示体の画面側に配置されて画像と協働して所定演出を実現する造形体と、造形体と画像表示体との位置関係に基づいて画像表示体上での画像の表示状態を調整する画像表示調整手段とを有することを特徴とする。
画像表示調整手段が、造形体と画像表示体との位置関係に基づいて画像の表示状態を調整するので、簡単かつ正確に造形体と画像との位置精度を向上させることができる。その結果、造形体と画像とが協働して行う所定演出を効果的に実現することができる。そして、画像処理によって画像の表示状態を調整することにより、造形体と画像との位置精度を向上させるので、画像表示ユニットやその周囲の形状や構造を複雑にすることなく、メカ的な位置調整を排することができる。
なお、「造形体と画像とが協働して所定演出を実現する」とは、画像表示体上に表示される画像（映像を含む。）と連係的に造形体が所定の動作を行う場合のみならず、造形体が動作を行わない場合をも含む。すなわち、造形体に所定の装飾が施され、その造形体の近傍に画像表示体が配置され、画像表示体上に表示される画像と造形体の装飾とが一定の関連性を有する場合に、両者は「所定演出を実現」し、遊技者の興趣向上に寄与している。
具体的には例えば、造形体が開口を有してその周縁部に車の絵が描写され、開口に臨む画像表示体の画面上に移動する道路や街並みの映像が表示される場合、造形体と画像表示体とはあたかも「車で街を走っている」かのような演出を実現している。
本発明の他の例示的側面としての画像表示ユニットは、第１の部材に取り付けられる造形体と、第１の部材に対して開閉可能に配置された第２の部材に取り付けられ、第１及び第２の両部材の閉鎖状態において造形体と協働して所定演出を実現する画像を表示可能な画像表示体と、造形体と画像表示体との位置関係に基づいて画像表示体上での画像の表示状態を調整する画像表示調整手段と、を有することを特徴とする。
【００１４】
画像表示調整手段が、造形体と画像表示体との位置関係に基づいて画像の表示状態を調整するので、造形体が第１の部材に取り付けられ、画像表示体が第１の部材とは異なる第２の部材に取り付けられている場合でも簡単かつ正確に造形体と画像との位置精度を向上させることができる。その結果、造形体と画像とが協働して行う所定演出を効果的に実現することができる。そして、画像処理によって画像の表示状態を調整することにより、造形体と画像との位置精度を向上させるので、画像表示ユニットやその周囲の形状や構造を複雑にすることなく、メカ的な位置調整を排することができる。
【００１５】
画像表示調整手段が、造形体と画像表示体との相対位置を検出する位置センサと、位置センサからの検出信号に応じて画像表示体上での画像の表示位置を調整する画像位置調整部とを有してもよい。
【００１６】
位置センサによって造形体と画像表示体との相対位置を検出するので、両者の位置関係を正確に把握することができる。例えば位置センサに光学センサを用いれば、非接触で両者の相対位置を検出することができるので、両者間の距離が遠くても問題なく検出を行うことができる。その検出結果に基づいて画像位置調整部が画像の表示位置を調整するので、画像表示体上での画像と造形体とを高精度に位置合わせすることができる。
【００１７】
位置センサによって造形体と画像表示体との相対位置を検出し、その検出信号に応じて画像位置調整部が画像の位置を調整するので、画像と造形体との位置合わせを繰り返し簡単に行うことができる。したがって、第１の部材と第２の部材とが開閉されるたびに位置合わせを簡単に行うことができ、常に造形体と画像との位置関係を適正に維持することができる。
【００１８】
画像位置調整部が、画像表示体上での画像の表示位置を平行移動調整可能又は回転調整可能であってもよい。
【００１９】
画像位置調整部が、画像の表示位置を平行移動調整可能であれば、造形体と画像表示体とが平行位置ズレを生じた場合に確実に画像と造形体との高精度な位置合わせを行うことができる。また、画像位置調整部が、画像の表示位置を回転調整可能であれば、造形体と画像表示体とが回転位置ズレを生じた場合に確実に画像と造形体との高精度な位置合わせを行うことができる。
【００２０】
表示画像調整手段が、造形体と画像表示体との相対位置を検出する位置センサと、位置センサからの検出信号に応じて画像表示体上での画像の表示サイズを調整する画像サイズ調整部とを有してもよい。
【００２１】
位置センサによって造形体と画像表示体との相対位置を検出するので、両者の位置関係を正確に把握することができる。例えば位置センサに光学センサを用いれば、非接触で両者の相対位置を検出することができるので、両者間の距離が遠くても問題なく検出を行うことができる。その検出結果に基づいて画像位置調整部が画像の表示サイズを調整するので、画像表示体上での画像と造形体との位置ズレによる違和感を減少させることができ、画像と造形体とが協働して行う所定演出を効果的に実現することができる。
【００２２】
位置センサによって造形体と画像表示体との相対位置を検出し、その検出信号に応じて画像位置調整部が画像のサイズを調整するので、第１の部材と第２の部材とが開閉されるたびに画像のサイズ調整を簡単に行うことができ、常に造形体と画像との位置関係を適正に維持することができる。
【００２３】
画像表示調整手段が、造形体と画像表示体との相対位置を検出する位置センサをそれぞれ異なる箇所に複数有していてもよい。異なる複数箇所で造形体と画像表示体との相対位置を検出するので、両者の位置ズレの検出精度を向上させることができる。
【００２４】
例えば、フォトダイオード等を用いた投受光型又は反射型のオンオフセンサを位置センサとして用い、それらを四角形の四角に対応する位置に配置すれば、造形体と画像表示体との位置ズレを正確に把握することができる。一方、ＣＣＤやＣＭＯＳのような撮像素子を位置センサとして用い、１つの位置センサで位置ズレを把握するように構成することも可能である。
【００２５】
第１の部材が、遊技媒体による遊技を実現する遊技装置体であり、第２の部材が、遊技機の周囲を囲む筐体枠の後方に配置され、遊技機の背面を実質的に閉鎖する背面板であってもよい。
【００２６】
遊技機の遊技装置体に造形体、すなわちセンター飾りが取り付けられ、背面板に画像表示体、すなわち液晶表示装置が取り付けられて、画像表示調整手段がセンター飾りと液晶表示装置との位置関係に基づいて画像の表示状態を調整するので、遊技機において、簡単かつ正確にセンター飾りと画像との位置精度を向上させることができる。その結果、センター飾りと画像とが協働して行う所定演出を効果的に実現することができる。そして、画像処理によって画像の表示状態を調整することにより、センター飾りと画像との位置精度を向上させるので、画像表示ユニットやその周囲の形状や構造を複雑にすることなく、メカ的な位置調整を排することができる。
【００２７】
本発明の更に他の例示的側面としての画像表示方法は、画面を有してその画面に画像を表示可能な画像表示体と、画像表示体の画面側に配置されて画像と協働して所定演出を実現する造形体と、の相対位置を位置センサにより検出するステップと、位置センサからの検出信号に応じて画像表示体上での画像の表示位置又は表示サイズを調整するステップとを有することを特徴とする。
【００２８】
位置センサによって造形体と画像表示体との相対位置を検出するので、両者の位置関係を正確に把握することができる。例えば位置センサに光学センサを用いれば、非接触で両者の相対位置を検出することができるので、両者間の距離が遠くても問題なく検出を行うことができる。
【００２９】
その検出信号に応じて画像の表示位置を調整する場合は、画像表示体上での画像と造形体とを高精度に位置合わせすることができる。また、検出信号に応じて画像の表示サイズを調整する場合は、画像表示体上での画像と造形体との位置ズレによる違和感を減少させることができ、画像と造形体とが協働して行う所定演出を効果的に実現することができる。
【００３０】
このように、造形体と画像表示体との位置関係に基づいて画像の表示状態を調整するので、簡単かつ正確に造形体と画像との位置精度を向上させることができる。画像処理によって画像の表示状態を調整することにより、造形体と画像との位置精度を向上させるので、画像表示ユニットやその周囲の形状や構造を複雑にすることなく、メカ的な位置調整を排することができる。
【００３１】
本発明の更に他の例示的側面としての遊技機は、遊技機の周囲を囲む筐体枠と、造形体を保持する遊技装置体と、遊技装置体を保持して筐体枠に対して前面開閉可能に揺動支持された機枠と、上記の画像表示ユニットとを有することを特徴とする。
【００３２】
この遊技機は、上記の画像表示ユニットを有しているので、画像表示体上に表示される画像と造形体との位置ズレが少なく、両者間の位置ズレに起因する違和感が少ない。したがって、両者が協働して行う所定演出を効果的に行うことができる。結果的に、遊技性・興趣性の高い遊技機とすることができ、遊技者はこの遊技機で遊技を行うにあたって所定演出を存分に楽しむことができる。
【００３３】
本発明の更なる目的又はその他の特徴は、以下添付図面を参照して説明される好ましい実施の形態によって明らかにされるであろう。
【発明の効果】
【００３４】
本発明によれば、画像表示体と造形体との位置関係に基づいて画像表示体上での画像の表示状態を調整することにより、形状や構造を複雑にすることなく、メカ的な位置調整を排して、簡単かつ正確に両者の位置精度を向上させることができる。造形体が第１の部材に取り付けられ、画像表示体が第１の部材とは異なる第２の部材に取り付けられている場合でも、造形体と画像表示体上の画像とを高精度に位置調整することができ、両者が協働して実現する所定演出を違和感なく効果的なものとすることができる。
【００３５】
画像と造形体との位置合わせを繰り返し簡単に行うことができるので第１の部材と第２の部材とが頻繁に開閉されて経時的に位置ズレが生じやすい環境においても、常に造形体と画像との位置関係を適正に維持することができる。
【００３６】
また、本発明をセンター飾りと液晶表示装置とを含んで構成される遊技機の画像表示ユニットに適用することにより、センター飾りと液晶表示装置上に表示される画像とが協働して行う所定演出を効果的に行うことができ、遊技機の遊技性・興趣性を向上させることができる。
【発明を実施するための最良の形態】
【００３７】
［実施の形態１］
以下、本発明の実施の形態１について図面を用いて説明する。図１は、本発明の実施の形態１に係る遊技機としてのパチンコ機２を前方（すなわち、遊技者側。）から見た外観を示す外観斜視図である。図２は、このパチンコ機２を後方（すなわち、背面側。）から見た外観を示す外観斜視図である。
【００３８】
このパチンコ機２は、筐体枠４、背面板（第２の部材）５、遊技盤（遊技装置体、第１の部材）６、機枠８、図柄表示装置（画像表示ユニット）９、前面ガラス（前面透明板）１０、装飾枠１２、上皿（球皿）１４、球発射装置（図示せず。）、発射ハンドル１５を有している。その図柄表示装置９は、センター飾り（造形体）１６、液晶表示装置（画像表示体）１７、画像表示調整手段を有し、その画像表示調整手段は、３つの反射センサ（位置センサ）１８〜２０、画像制御基板２１を有して構成される（いずれも図３を参照。）。
【００３９】
パチンコ機２は、組合せ式パチンコ機、封入循環式パチンコ機、雀球機等を含む。また、遊技機としてはパチンコ機の他に、各種ゲーム機やアーケードマシン等を概念することができ、要するに、センター飾り１６、液晶表示装置１７を有して構成される図柄表示装置９を有するあらゆる遊技機に本発明を適用可能である。
【００４０】
筐体枠４は、このパチンコ機２の周囲を囲むための枠体であり、平面視略長方形に構成されている。材料としては、木材・樹脂・金属等が適用可能であり、本実施の形態１においてはアルミニウムが用いられている。筐体枠４は、パチンコ機２の上下面及び左右側面を囲み、前方から見て左側面側には機枠８及び装飾枠１２を揺動支持するためのヒンジ部（揺動支持部）２２が設けられている。
【００４１】
背面板５は、筐体枠４の後方を略密閉し、パチンコ機２の背面を実質的に閉鎖する板状部材である。したがって、背面板５の設置により、遊技者やパチンコホールの店員による背面からのパチンコ機２内部への不正アクセスを効果的に防止することができるようになっている。背面板５は、筐体枠４の後方に配置されて筐体枠４と周囲で連結されており、アルミニウム等の熱伝導性の高い金属で形成されている。
【００４２】
図３に示すように、背面板５の前方面５ａには、画像制御基板２１をはじめ、各種の電子回路基板２３，２４が取り付けられている。この画像制御基板２１は、液晶表示装置１７上に数字やキャラクター等の画像を表示するための回路基板である。また、画像制御基板２１は画像表示調整手段の一部であり、液晶表示装置１７上での画像の表示位置を調整する画像位置調整部として機能する。
【００４３】
その液晶表示装置１７は、前方面５ａの中央部近傍に取り付けられている。液晶表示装置１７は、画像制御基板２１からの指令信号に基づいて画面１７ａに数字やキャラクター等の画像を表示するためのものであり、その画面１７ａ外側の四角のうちの３箇所に画像表示調整手段の一部としての３つの反射センサ１８〜２０が取り付けられているが、詳細については後述する。
【００４４】
遊技盤６は、このパチンコ機２において、遊技媒体としての球２５の流下による遊技を実現するための遊技装置体である。遊技盤６の遊技盤面６ａには、略円形状に周囲を囲むようにレール飾り２６が取り付けられ、このレール飾り２６の内側面２６ａが遊技盤面６ａに対して立設して遊技領域６ｂを画定している。
【００４５】
その遊技領域６ｂ内の略中央部には中央開口６ｃが形成され、その中央開口６ｃ部分に図柄表示装置９のセンター飾り１６が配置されている。そのセンター飾り１６の周囲に多数のゲージ２７、入賞口２８、始動入賞口２９、アウト口３０、その他の各種役物が配置されている。図示しない球発射装置により球２５が遊技領域６ｂ内の上部に向けて発射されると、球２５がゲージ２７に衝突してその流下方向を変えつつ遊技領域６ｂ内を流下するようになっている。その流下の途中で、あるものは入賞口２８に入賞して景品球払出しの契機となり、あるものは始動入賞口２９に入賞して図柄表示装置９による図柄変動遊技開始の契機となり、また、あるものはいずれの入賞口２８，２９にも入賞せずにアウト口３０からパチンコ機２の外部へと排出される。このように、遊技盤６上を球２５が流下する際に、様々な遊技が実現されるようになっている。
【００４６】
センター飾り１６は、キャラクター等の造形が施された樹脂成形部品であり、遊技領域６ｂ内における遊技を装飾的に演出するためのものである。このセンター飾り１６の中央部分は透明とされ、遊技者が中央開口６ｃを通して液晶表示装置１７の画面１７ａを視認可能とされている。センター飾り１６は、造形されたキャラクター等によって画面１７ａの周囲を装飾的に囲み、画面１７ａ上に表示される画像と協働して所定演出を実現して遊技者の興趣向上を図るものである。センター飾り１６は液晶表示装置１７及び画像制御基板２１とともに、後述する図柄表示装置９を構成する。
【００４７】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前方に配置されてヒンジ部２２において筐体枠４に揺動支持され、筐体枠４に対して前面開閉可能に揺動支持されている。
【００４８】
図柄表示装置９は、遊技を演出する画像を表示するためのもので、遊技盤６に取り付けられて画面１７ａ側に配置されたセンター飾り１６、背面板５の前方面５ａに取り付けられた液晶表示装置１７及び画像表示調整手段を有して構成される。図４は、この図柄表示装置９の概略構成を示す分解構成図であり、図５は、センター飾り１６を後方から前方に向けて見た背面図である。
【００４９】
センター飾り１６の中央透明部１６ａには、遊技盤６の中央開口６ｃを通して液晶表示装置１７の画面１７ａが臨むように配置され、画面１７ａの周囲をセンター飾り１６の造形キャラクターが装飾的に囲んでいる。
【００５０】
その液晶表示装置１７の画面１７ａには、例えばこのパチンコ機２による遊技開始前や通常遊技中には様々なキャラクターが画像として表示される。また、始動入賞口２９に球２５が入賞して図柄変動遊技が開始されると、数字や文字等の回転図柄が画像として表示される。その画面１７ａ上の画像は、センター飾り１６に造形されたキャラクターと協働的に演出を行う。そのため、画面１７ａ上の画像とセンター飾り１６とは、高精度に位置決めされる必要がある。その両者の高精度な位置決めは、以下の画像表示調整手段によって実現される。
【００５１】
画像表示調整手段は、液晶表示装置１７の四角のうちの３箇所にそれぞれ取り付けられた３つの反射センサ１８〜２０と画像制御基板２１とを有して構成される。その反射センサ１８〜２０は内部に光源及び受光素子を有する光学センサであり、センター飾り１６の背面１６ｂにおいてそれぞれ対応する位置に配置されたマーク１８ｂ〜２０ｂを検出するためのものである。
【００５２】
すなわち、各反射センサ１８〜２０は、その視野１８ａ〜２０ａ内にマーク１８ｂ〜２０ｂが存在する場合に、検出信号としてのオン信号を画像制御基板２１に向けて送出し、視野内にマーク１８ｂ〜２０ｂが存在しない場合に、検出信号としてのオフ信号を画像制御基板２１に向けて送出するように構成されている。
【００５３】
画像制御基板２１は、液晶表示装置１７の画面１７ａ上に画像を表示するための制御基板である。画像制御基板２１は、画像表示調整手段の一部としての画像位置調整部として機能する。すなわち、反射センサ１８〜２０からの検出信号を受け取ると、その検出信号に基づいて画面１７ａ上での画像の表示位置を上下左右又は回転方向に調整する。
【００５４】
以下、図６及び図７を用いて、画像制御基板２１による画像の位置調整原理について説明する。
【００５５】
＜画像位置調整原理＞
図６（ａ）〜図６（ｇ）は、反射センサ１８〜２０によるマーク１８ｂ〜２０ｂの検出状態を示す状態図であり、図７は、各検出状態における画像の調整方向を示す表である。なお、図６は、センター飾り１６を背面１６ｂから見た状態を示しており、この状態での図中右方向を＋Ｘ方向（左方向を−Ｘ方向。）、上方向を＋Ｙ方向（下方向を−Ｙ方向。）、反時計回りの回転方向を＋θ方向（時計回りの回転方向を−θ方向。）とする。
【００５６】
図６（ａ）は、センター飾り１６と液晶表示装置１７との位置ズレがない状態を示している。この状態において、マーク１８ｂは、反射センサ１８の視野１８ａにおける左下部近傍に位置し、マーク１９ｂは反射センサ１９の視野１９ａにおける右上部近傍に位置し、マーク２０ｂは反射センサ２０の視野２０ａにおける左上部近傍に位置している。このとき、各反射センサ１８〜２０はマーク１８ｂ〜２０ｂを検出しているので、すべてオン信号を送出している。
【００５７】
ここで、センター飾り１６が液晶表示装置１７に対して＋Ｘ方向に位置ズレした場合、図６（ｂ）に示すように、各マーク１８ｂ〜２０ｂは、＋Ｘ方向にシフト移動した状態となる。そうすると、反射センサ１８がオン信号、反射センサ１９がオフ信号、反射センサ２０がオン信号となる。したがって、各反射センサ１８〜２０の検出信号がこのような信号状態であるとき、画像制御基板２１が画像を＋Ｘ方向にシフト移動させて画面１７ａ上に表示すれば、センター飾り１６と画像との位置ズレを正しく補正することができる（図７の（ｂ）の欄参照。）。
【００５８】
センター飾り１６が液晶表示装置１７に対して−Ｘ方向に位置ズレした場合、図６（ｃ）に示すように、各マーク１８ｂ〜２０ｂは、−Ｘ方向にシフト移動した状態となる。そうすると、反射センサ１８がオフ信号、反射センサ１９がオン信号、反射センサ２０がオフ信号となる。したがって、各反射センサ１８〜２０の検出信号がこのような信号状態であるとき、画像制御基板２１が画像を−Ｘ方向にシフト移動させて画面１７ａ上に表示すれば、センター飾り１６と画像との位置ズレを正しく補正することができる（図７の（ｃ）の欄参照。）。
【００５９】
センター飾り１６が液晶表示装置１７に対して＋Ｙ方向に位置ズレした場合、図６（ｄ）に示すように、各マーク１８ｂ〜２０ｂは、＋Ｙ方向にシフト移動した状態となる。そうすると、反射センサ１８がオン信号、反射センサ１９がオフ信号、反射センサ２０がオフ信号となる。したがって、各反射センサ１８〜２０の検出信号がこのような信号状態であるとき、画像制御基板２１が画像を＋Ｙ方向にシフト移動させて画面１７ａ上に表示すれば、センター飾り１６と画像との位置ズレを正しく補正することができる（図７の（ｄ）の欄参照。）。
【００６０】
センター飾り１６が液晶表示装置１７に対して−Ｙ方向に位置ズレした場合、図６（ｅ）に示すように、各マーク１８ｂ〜２０ｂは、−Ｙ方向にシフト移動した状態となる。そうすると、反射センサ１８がオフ信号、反射センサ１９がオン信号、反射センサ２０がオン信号となる。したがって、各反射センサ１８〜２０の検出信号がこのような信号状態であるとき、画像制御基板２１が画像を−Ｙ方向にシフト移動させて画面１７ａ上に表示すれば、センター飾り１６と画像との位置ズレを正しく補正することができる（図７の（ｅ）の欄参照。）。
【００６１】
センター飾り１６が液晶表示装置１７に対して＋θ方向に位置ズレした場合、図６（ｆ）に示すように、各マーク１８ｂ〜２０ｂは、＋θ方向に回転移動した状態となる。そうすると、反射センサ１８がオフ信号、反射センサ１９がオフ信号、反射センサ２０がオン信号となる。したがって、各反射センサ１８〜２０の検出信号がこのような信号状態であるとき、画像制御基板２１が画像を＋θ方向に回転移動させて画面１７ａ上に表示すれば、センター飾り１６と画像との位置ズレを正しく補正することができる（図７の（ｆ）の欄参照。）。
【００６２】
センター飾り１６が液晶表示装置１７に対して−θ方向に位置ズレした場合、図６（ｇ）に示すように、各マーク１８ｂ〜２０ｂは、−θ方向に回転移動した状態となる。そうすると、反射センサ１８がオン信号、反射センサ１９がオン信号、反射センサ２０がオフ信号となる。したがって、各反射センサ１８〜２０の検出信号がこのような信号状態であるとき、画像制御基板２１が画像を−θ方向に回転移動させて画面１７ａ上に表示すれば、センター飾り１６と画像との位置ズレを正しく補正することができる（図７の（ｇ）の欄参照。）。
【００６３】
以上のように、反射センサ１８〜２０の検出信号に応じて画像制御基板２１が画面１７ａ上の画像の位置調整を±Ｘ方向、±Ｙ方向、±θ方向に調整することにより、センター飾り１６と液晶表示装置１７との位置ズレを正しく補正することができる。結果的に、センター飾り１６の造形キャラクターと画面１７ａ上の画像との位置精度が向上し、両者が協働して行う所定演出を効果的に実現することができる。
【００６４】
なお、位置センサとして反射センサの代わりに投受光センサを用い、マークの代わりに遮光部材や透光孔を検出することによって本発明を実施することができるのはもちろんである。また、位置センサに、光学センサでない他のセンサ、例えば圧力センサや機械式スイッチ、磁気センサや静電センサを適用することももちろん可能であり、いずれのセンサを用いるかは設計的事項である。
【００６５】
ここで、画像制御基板２１における画像の位置調整の判断の流れについて、図８のフローチャートを用いて説明する。
【００６６】
まず、画像制御基板２１は、反射センサ１８〜２０からの検出信号を受け取る（Ｓ．１）。反射センサ１８の検出信号がオン信号であり（Ｓ．２）、反射センサ１９の検出信号もオン信号であり（Ｓ．３）、反射センサ２０の検出信号もオン信号である場合には（Ｓ．４）、位置ズレがないと判断し、画像の位置調整を行わない（Ｓ．５）。しかし、反射センサ２０の検出信号がオフ信号である場合には（Ｓ．４）、センター飾り１６が−θ方向に位置ズレしていると判断し、画像を画面１７ａ上で−θ方向に回転調整する（Ｓ．６）。
【００６７】
反射センサ１９の検出信号がオフ信号であり（Ｓ．３）、反射センサ２０の検出信号がオン信号である場合には（Ｓ．７）、センター飾り１６が＋Ｘ方向に位置ズレしていると判断し、画像を画面１７ａ上で＋Ｘ方向に位置調整する（Ｓ．８）。反射センサ２０の検出信号がオフ信号である場合には（Ｓ．７）、センター飾り１６が＋Ｙ方向に位置ズレしていると判断し、画像を画面１７ａ上で＋Ｙ方向に位置調整する（Ｓ．９）。
【００６８】
反射センサ１８の検出信号がオフ信号であり（Ｓ．２）、反射センサ１９の検出信号がオン信号であり（Ｓ．１０）、反射センサ２０の検出信号もオン信号である場合には（Ｓ．１１）、センター飾り１６が−Ｙ方向に位置ズレしていると判断し、画像を画面１７ａ上で−Ｙ方向に位置調整する（Ｓ．１２）。反射センサ２０の検出信号がオフ信号である場合には（Ｓ．１１）、センター飾り１６が−Ｘ方向に位置ズレしていると判断し、画像を画面１７ａ上で−Ｘ方向に位置調整する（Ｓ．１３）。
【００６９】
反射センサ１９の検出信号がオフ信号であり（Ｓ．１０）、反射センサ２０の検出信号がオン信号である場合には（Ｓ．１４）、センター飾り１６が＋θ方向に位置ズレしていると判断し、画像を画面１７ａ上で＋θ方向に回転調整する（Ｓ．１５）。反射センサ２０の検出信号がオフ信号である場合には（Ｓ．１４）、すべての検出信号がオフ信号であるので、位置調整不可と判断し（Ｓ．１６）、例えば画面１７ａにエラー表示を行う。
【００７０】
前面ガラス１０は、遊技盤６に対して一定距離離間して配置された透明板である。前面ガラス１０は透明平板ガラスで形成され、遊技盤６との間に球２５が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００７１】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠８に保持されるように構成されていてもよい。
【００７２】
装飾枠１２は、前面ガラス１０又はその周囲を囲む装飾部材３２を保持するための枠体である。本実施の形態１においては、装飾枠１２は、前面ガラス１０及び装飾部材３２の両方を保持している。その装飾枠１２は、機枠８の前面側に配置されてヒンジ部２２において機枠８とともに筐体枠４に揺動支持され、機枠８に対して前面開閉可能に揺動支持されている。
【００７３】
装飾枠１２は樹脂又は金属によって形成され、その中央部に遊技者が遊技盤６を視認するための透視孔が形成されており、その透視孔を覆うように前面ガラス１０が取り付けられている。その前面ガラス１０の周囲には、パチンコ機２を装飾するための造形・色彩・ランプが付された装飾部材３２が取り付けられ、パチンコ機２の遊技演出に寄与している。
【００７４】
なお、本実施の形態１では、筐体枠４に設けられたヒンジ部２２に機枠８及び装飾枠１２の両方が揺動支持される構成となっている。しかしながら、機枠８と装飾枠１２とがそれぞれ異なるヒンジ部によって揺動支持されていてももちろんよい。例えば、筐体枠４に機枠８を揺動支持するヒンジ部が設けられ、機枠８に装飾枠１２を揺動支持する別のヒンジ部が設けられていてももちろんよい。
【００７５】
上皿１４は、球２５を球発射装置に導くべく貯留するためのもので、下皿１４ａとともに遊技者の持ち球を貯留する機能を有する。上皿１４は、パチンコ機２の前面であって遊技盤６の下方、すなわち装飾枠１２の下方部分に配置され、下皿１４ａは、その上皿１４の更に下方に配置されている。本実施の形態１においては、上皿１４と下皿１４ａとを別々に構成しているが、もちろん上皿１４と下皿１４ａとが一体となって１つの球皿が構成されていてもよい。
【００７６】
上皿１４は、景品球としてパチンコ機２から払い出された球２５を受け取る機能や、その球２５を球供給装置（図示せず。）を介して球発射装置に導くべく貯留する機能を有している。遊技終了時には、遊技者が球排出ボタン１４ｂを操作することにより、球２５を上皿１４から下皿１４ａへと排出することができるようになっている。
【００７７】
図示しない球発射装置は、球供給装置によって上皿１４から発射位置に送り込まれた球２５を遊技領域６ｂの上部に向けて発射（弾球）するためのものである。球発射装置は、例えば発射位置に送り出された球２５を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００７８】
発射ハンドル１５は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１５ａが回転可能となっている。遊技者は、発射ハンドル１５を手で保持しつつ、強度調整杆１５ａを回転させることにより、球２５の発射強度を調整することができるようになっている。
【００７９】
［実施の形態２］
図９及び図１０を用いて、本発明の実施の形態２に係る図柄表示装置９の画像制御基板２１による画像の位置調整原理について説明する。この実施の形態２においては、液晶表示装置１７の画面１７ａ外側の四角に、４つの反射センサ４１〜４４が取り付けられ、各々がセンター飾り１６の背面１６ｂに配置された４つのマーク４１ｂ〜４４ｂを検出するように構成されている。
【００８０】
図９（ａ）〜図９（ｉ）は、反射センサ４１〜４４によるマーク４１ｂ〜４４ｂの検出状態を示す状態図であり、図１０は、各検出状態における画像の調整方向を示す表である。なお、図９は、センター飾り１６を背面１６ｂから見た状態を示しており、この状態での図中右方向を＋Ｘ方向（左方向を−Ｘ方向。）、上方向を＋Ｙ方向（下方向を−Ｙ方向。）とする。
【００８１】
図９（ａ）は、センター飾り１６と液晶表示装置１７との位置ズレがない状態を示している。この状態において、マーク４１ｂは、反射センサ４１の視野４１ａにおける中央よりやや左上方にずれた位置に配置され、マーク４２ｂは、反射センサ４２の視野４２ａにおける中央よりやや右上方にずれた位置に配置され、マーク４３ｂは、反射センサ４３の視野４３ａにおける中央よりやや左下方にずれた位置に配置され、マーク４４ｂは、反射センサ４４の視野４４ａにおける中央よりやや右下方にずれた配置されている。このとき、各反射センサ４１〜４４はマーク４１ｂ〜４４ｂを検出しているので、すべてオン信号を送出している。
【００８２】
ここで、センター飾り１６が液晶表示装置１７に対して＋Ｘ方向に位置ズレした場合、図９（ｂ）に示すように、各マーク４１ｂ〜４４ｂは、＋Ｘ方向にシフト移動した状態となる。そうすると、反射センサ４１がオン信号、反射センサ４２がオフ信号、反射センサ４３がオン信号、反射センサ４４がオフ信号となる。したがって、各反射センサ４１〜４４の検出信号がこのような信号状態であるとき、画像制御基板２１が画像を＋Ｘ方向にシフト移動させて画面１７ａ上に表示すれば、センター飾り１６と画像との位置ズレを正しく補正することができる（図１０の（ｂ）の欄参照。）。
【００８３】
センター飾り１６が液晶表示装置１７に対して−Ｘ方向に位置ズレした場合、図９（ｃ）に示すように、各マーク４１ｂ〜４４ｂは、−Ｘ方向にシフト移動した状態となる。そうすると、反射センサ４１がオフ信号、反射センサ４２がオン信号、反射センサ４３がオフ信号、反射センサ４４がオン信号となる。したがって、各反射センサ４１〜４４の検出信号がこのような信号状態であるとき、画像制御基板２１が画像を−Ｘ方向にシフト移動させて画面１７ａ上に表示すれば、センター飾り１６と画像との位置ズレを正しく補正することができる（図１０の（ｃ）の欄参照。）。
【００８４】
センター飾り１６が液晶表示装置１７に対して＋Ｙ方向に位置ズレした場合、図９（ｄ）に示すように、各マーク４１ｂ〜４４ｂは、＋Ｙ方向にシフト移動した状態となる。そうすると、反射センサ４１がオフ信号、反射センサ４２がオフ信号、反射センサ４３がオン信号、反射センサ４４がオン信号となる。したがって、各反射センサ４１〜４４の検出信号がこのような信号状態であるとき、画像制御基板２１が画像を＋Ｙ方向にシフト移動させて画面１７ａ上に表示すれば、センター飾り１６と画像との位置ズレを正しく補正することができる（図１０の（ｄ）の欄参照。）。
【００８５】
センター飾り１６が液晶表示装置１７に対して−Ｙ方向に位置ズレした場合、図９（ｅ）に示すように、各マーク４１ｂ〜４４ｂは、−Ｙ方向にシフト移動した状態となる。そうすると、反射センサ４１がオン信号、反射センサ４２がオン信号、反射センサ４３がオフ信号、反射センサ４４がオフ信号となる。したがって、各反射センサ４１〜４４の検出信号がこのような信号状態であるとき、画像制御基板２１が画像を−Ｙ方向にシフト移動させて画面１７ａ上に表示すれば、センター飾り１６と画像との位置ズレを正しく補正することができる（図１０の（ｅ）の欄参照。）。
【００８６】
センター飾り１６が液晶表示装置１７に対して右め上方（＋Ｘ・＋Ｙ方向）に位置ズレした場合、図９（ｆ）に示すように、各マーク４１ｂ〜４４ｂは、＋Ｘ・＋Ｙ方向にシフト移動した状態となる。そうすると、反射センサ４１がオフ信号、反射センサ４２がオフ信号、反射センサ４３がオン信号、反射センサ４４がオフ信号となる。したがって、各反射センサ４１〜４４の検出信号がこのような信号状態であるとき、画像制御基板２１が画像を＋Ｘ・＋Ｙ方向にシフト移動させて画面１７ａ上に表示すれば、センター飾り１６と画像との位置ズレを正しく補正することができる（図１０の（ｆ）の欄参照。）。
【００８７】
センター飾り１６が液晶表示装置１７に対して左斜め下方（−Ｘ・−Ｙ方向）に位置ズレした場合、図９（ｇ）に示すように、各マーク４１ｂ〜４４ｂは、−Ｘ・−Ｙ方向にシフト移動した状態となる。そうすると、反射センサ４１がオフ信号、反射センサ４２がオン信号、反射センサ４３がオフ信号、反射センサ４４がオフ信号となる。したがって、各反射センサ４１〜４４の検出信号がこのような信号状態であるとき、画像制御基板２１が画像を−Ｘ・−Ｙ方向にシフト移動させて画面１７ａ上に表示すれば、センター飾り１６と画像との位置ズレを正しく補正することができる（図１０の（ｇ）の欄参照。）。
【００８８】
センター飾り１６が液晶表示装置１７に対して右斜め下方（＋Ｘ・−Ｙ方向）に位置ズレした場合、図９（ｈ）に示すように、各マーク４１ｂ〜４４ｂは、＋Ｘ・−Ｙ方向にシフト移動した状態となる。そうすると、反射センサ４１がオン信号、反射センサ４２がオフ信号、反射センサ４３がオフ信号、反射センサ４４がオフ信号となる。したがって、各反射センサ４１〜４４の検出信号がこのような信号状態であるとき、画像制御基板２１が画像を＋Ｘ・−Ｙ方向にシフト移動させて画面１７ａ上に表示すれば、センター飾り１６と画像との位置ズレを正しく補正することができる（図１０の（ｈ）の欄参照。）。
【００８９】
センター飾り１６が液晶表示装置１７に対して左斜め上方（−Ｘ・＋Ｙ方向）に位置ズレした場合、図９（ｉ）に示すように、各マーク４１ｂ〜４４ｂは、−Ｘ・＋Ｙ方向にシフト移動した状態となる。そうすると、反射センサ４１がオフ信号、反射センサ４２がオフ信号、反射センサ４３がオフ信号、反射センサ４４がオン信号となる。したがって、各反射センサ４１〜４４の検出信号がこのような信号状態であるとき、画像制御基板２１が画像を−Ｘ・＋Ｙ方向にシフト移動させて画面１７ａ上に表示すれば、センター飾り１６と画像との位置ズレを正しく補正することができる（図１０の（ｉ）の欄参照。）。
【００９０】
以上のように、４つの反射センサ４１〜４４を用いてセンター飾り１６のマーク４１ｂ〜４４ｂの位置を検出することにより、±Ｘ方向や±Ｙ方向の単一方向への位置ズレのみならず、斜め方向（例えば、＋Ｘ・＋Ｙ方向。）への位置ズレも正確に検出することができる。したがって、より一層位置ズレ方向を簡便かつ正確に検出して、センター飾り１６と画像との位置合わせを正確に行うことができる。
【００９１】
なお、上記実施の形態においては、反射センサからの検出信号に基づいて、画像制御基板２１が画面１７ａ上の画像の表示位置を調整する構成について説明したが、画像制御基板２１が、反射センサからの検出信号に基づいて、画面１７ａ上の画像の表示サイズを調整する画像サイズ調整部として機能するものであってもよい。
【００９２】
この場合においては、センター飾り１６と液晶表示装置１７との位置ズレ方向に拘わらず、両者の位置ズレ量を検出することができるように反射センサを配置する。その検出された位置ズレ量に応じて、画像制御基板２１が画面１７ａ上の画像のサイズを調整する。すなわち、位置ズレ量が大きいときには画像のサイズを小さく表示し、位置ズレ量が小さいときには画像のサイズを大きく表示する。それによって、センター飾り１６と画面１７ａ上の画像との位置ズレに基づく違和感を低減することができる。
【００９３】
もちろん、これらの場合において、反射センサの代わりにＣＣＤやＣＭＯＳ等の撮像素子を位置センサとして用いることも可能である。位置センサとして撮像素子を用い、センター飾り１６の背面上に配置したマークを撮像するようにすれば、１つの撮像素子で位置ズレ方向と位置ズレ量とを両方とも正確に検出することができてより一層好ましい。
【００９４】
以上、本発明の好ましい実施の形態を説明したが、本発明はこれらに限定されるものではなく、その要旨の範囲内で様々な変形や変更が可能である。例えば、上記実施の形態１，２においては、センター飾り１６が遊技盤６に取り付けられ、液晶表示装置１７が背面板５に取り付けられている場合について例示的に説明したが、もちろん、センター飾り１６と液晶表示装置１７とがネジ等の締結手段やフック等の係止手段によって互いに取り付けられるものであってもよい。
【図面の簡単な説明】
【００９５】
【図１】本発明の実施の形態１に係るパチンコ機を前方から見た外観斜視図である。
【図２】本発明の実施の形態１に係るパチンコ機を後方から見た外観斜視図である。
【図３】図１に示すパチンコ機における機枠を前方に開放した状態を示す内部構成図である。
【図４】図１に示すパチンコ機が有する図柄表示装置の概略構成を示す分解構成図である。
【図５】図４に示すセンター飾りを後方から見た背面図である。
【図６】図４に示す反射センサによるマークの検出状態を示す状態図である。
【図７】図６に示す各検出状態における画像の調整方向を示す表である。
【図８】図１に示すパチンコ機が有する画像制御基板における画像位置調整の判断の流れを説明するフローチャートである。
【図９】本発明の実施の形態２に係る図柄表示装置の反射センサによるマークの検出状態を示す状態図である。
【図１０】図９に示す各検出状態における画像の調整方向を示す表である。
【符号の説明】
【００９６】
２：パチンコ機（遊技機）
４：筐体枠
５：背面板（第２の部材）
５ａ：前方面
６：遊技盤（遊技装置体、第１の部材）
６ａ：遊技盤面
６ｂ：遊技領域
６ｃ：中央開口
８：機枠
９：図柄表示装置（画像表示ユニット）
１０：前面ガラス（前面透明板）
１２：装飾枠
１４：上皿（球皿）
１４ａ：下皿
１４ｂ：球排出ボタン
１５：発射ハンドル
１５ａ：強度調整杆
１６：センター飾り（造形体）
１６ａ：中央透明部
１６ｂ：背面
１７：液晶表示装置（画像表示体）
１７ａ：画面
１８〜２０，４１〜４４：反射センサ（位置センサ、画像表示調整手段の一部）
１８ａ〜２０ａ，４１ａ〜４４ａ：視野
１８ｂ〜２０ｂ，４１ｂ〜４４ｂ：マーク
２１：画像制御基板（画像位置調整部、画像サイズ調整部、画像表示調整手段の一部）
２２：ヒンジ部（揺動支持部）
２３，２４：電子回路基板
２５：球
２６：レール飾り
２６ａ：内側面
２７：ゲージ
２８：入賞口
２９：始動入賞口
３０：アウト口
３２：装飾部品
【図１】
2008206715.tif 000003
【図２】
2008206715.tif 000004
【図３】
2008206715.tif 000005
【図４】
2008206715.tif 000006
【図５】
2008206715.tif 000007
【図６】
2008206715.tif 000008
【図７】
2008206715.tif 000009
【図８】
2008206715.tif 000010
【図９】
2008206715.tif 000011
【図１０】
2008206715.tif 000012